(57)【要約】【課題】ボールを拾上げて、そのボールの位置をマークするためのゴルフ用ボールマーカにおいて、該位置の傾斜を確実に知ることができるようにしたゴルフ用ボールマーカを提供する。【解決手段】ゴルフ用ボールマーカの筐体１０の上面に、上方に開放されかつその軸線の方向が互いに直交しかつ底面１９とほぼ平行な軸線を有する凹部１１、１２を形成し、これらの凹部１１、１２内に水準器１５、１６を配置する。水準器１５、１６によって、底面１９とほぼ平行な平面上における互いに直交する２方向の傾斜を検知する。【選択図】図１
0003124013.tif 000002
【実用新案登録請求の範囲】
【請求項１】
ボールを拾上げるときに、該ボールの位置をマークするためのゴルフ用ボールマーカにおいて、
平面上の直交する２方向の傾きを検知する水準器を設けたことを特徴とするゴルフ用ボールマーカ。
【請求項２】
前記水準器によって検知される２方向を含む平面とほぼ平行な底面を有し、該底面が地面に接するようにボールを拾上げる位置に置くようになっていることを特徴とする請求項１に記載のゴルフ用ボールマーカ。
【請求項３】
筐体を備え、該筐体に上面が開放されかつ前記２方向に延びる凹部が形成され、該凹部に前記水準器がそれぞれ収納保持されることを特徴とする請求項１に記載のゴルフ用ボールマーカ。
【請求項４】
底面に下方に突出するようにピンが突設されることを特徴とする請求項１または請求項２に記載のゴルフ用ボールマーカ。
【請求項５】
底面にマグネットが取付けられ、該マグネットによってホルダに吸着されることを特徴とする請求項１または請求項２に記載のゴルフ用ボールマーカ。
【請求項６】
ボールを拾上げるときに、該ボールの位置をマークするためのゴルフ用ボールマーカにおいて、
平面の傾きを検出する水準器を設けたことを特徴とするゴルフ用ボールマーカ。
【請求項７】
前記水準器は内部に液体を充填する密封容器であって、上面の透明な壁面が中央が上方に突出した湾曲形状をなし、前記中央部に円形のマークが形成され、該マークに対して前記液体中の気泡がずれる方向とずれ量とによって平面の傾きの方向と傾き量とを検出することを特徴とする請求項６に記載のゴルフ用ボールマーカ。
【請求項８】
水準器を取付けた基板にマグネットが固着されることを特徴とする請求項６に記載のゴルフ用ボールマーカ。
【請求項９】
水準器を取付けた基板に下方に突出してピンが植設されることを特徴とする請求項６に記載のゴルフ用ボールマーカ。
【請求項１０】
ボールを拾上げるときに、該ボールの位置をマークするためのゴルフ用ボールマーカにおいて、
平面上の一方向の傾きを検知する水準器を設けたことを特徴とするゴルフ用ボールマーカ。
【考案の詳細な説明】
【技術分野】
【０００１】
本考案は、ゴルフ競技において、ボールを拾上げるときに、該ボールの位置をマークするためのゴルフ用ボールマーカに関する。
【背景技術】
【０００２】
ゴルフ競技は、ティーグラウンドからグリーンのカップまで、順次クラブによってボールを打ちながらその打数によってスコアを競う競技であって、グリーンのカップにボールをインさせるまでの打数をそのラウンドで合計して、打数が少い者を勝者とする競技である。
【０００３】
通常ゴルフ競技は、例えば４人を１グループとして競技を進めるようになっている。そして４人のプレーヤが順次ボールを打つようになっている。従ってときには、先行する競技者が打ったボールを追越すように別の競技者がボールを打つことがある。従って先行する競技者の打ったボールに対して、後から打った競技者のボールが干渉し、これによってボールの位置がずれる可能性がある。そこでこのような事態が予測される場合には、先行する競技者のボールを拾上げるとともに、拾上げた位置をマークするためにマーカを置くようにしている。そして後行の競技者がボールを打った後に、該マーカの位置に再びボールを置いて競技を行なうようにしている。
【０００４】
ここで従来のゴルフ用ボールマーカは、例えば小さな円盤状をなす目印から構成されている。このようなコインタイプのボールマーカは、例えばキャラクタマーク等がその上面に表示された円盤から構成されており、ボールを拾上げるときにその位置に単にこのボールマーカを置くようにしている。
【０００５】
別の形態のゴルフ用ボールマーカは、ピンタイプのものである。これは、所定の大きさの円盤の下面にピンが下方に向けて突設されており、このピンを地面に差込んでボールを拾上げた位置をマークするようにしている。
【０００６】
このような従来の何れのゴルフ用ボールマーカも、そのマークする位置の地面の傾斜の度合いを検出する手段を有していない。従ってこのようなボールマーカによって、地面の傾斜を知ることができない。従ってグリーン上におけるパッティングの際に、パターで打ったボールが地面の傾斜によってフックするのかスライスするのかをゴルフ用ボールマーカで知ることができなかった。すなわちボールを打つ位置の傾斜度を知ることができないために、例えばクラブ等を用い、このクラブの上端を持って鉛直方向下方に吊下げたときのシャフトと地面との間の傾斜角を目視によって判断し、これによってその地面の傾斜の概略を知る等の方法によってグリーン上のボールの位置の地面の傾斜を確認していた。従ってこのような方法によると、必ずしも正確にボールを打つ位置の傾斜を知ることができず、これによってボールの進行方向が狂う可能性があった。
【考案の開示】
【考案が解決しようとする課題】
【０００７】
本願考案の課題は、地面の傾斜を簡単に認識できるようにしたゴルフ用ボールマーカを提供することである。
【０００８】
本願考案の別の課題は、地面の傾斜を知る手段として兼用することが可能なゴルフ用ボールマーカを提供することである。
【０００９】
本願考案の上記の課題および別の課題は、以下に述べる本願考案の技術的思想、およびその実施の形態によって明らかにされる。
【課題を解決するための手段】
【００１０】
本願考案は、ボールを拾上げるときに、該ボールの位置をマークするためのゴルフ用ボールマーカにおいて、
平面上の直交する２方向の傾きを検知する水準器を設けたことを特徴とするゴルフ用ボールマーカに関するものである。
【００１１】
ここで、前記水準器によって検知される２方向を含む平面とほぼ平行な底面を有し、該底面が地面に接するようにボールを拾上げる位置に置くようにしてよい。また筐体を備え、該筐体に上面が開放されかつ前記２方向に延びる凹部が形成され、該凹部に前記水準器がそれぞれ収納保持されてよい。また底面に下方に突出するようにピンが突設されてよい。また底面にマグネットが取付けられ、該マグネットによってホルダに吸着されてよい。
【００１２】
本願の別の考案は、ボールを拾上げるときに、該ボールの位置をマークするためのゴルフ用ボールマーカにおいて、
平面の傾きを検出する水準器を設けたことを特徴とするゴルフ用ボールマーカに関するものである。
【００１３】
ここで、前記水準器は内部に液体を充填する密封容器であって、上面の透明な壁面が中央が上方に突出した湾曲形状をなし、前記中央部に円形のマークが形成され、該マークに対して前記液体中の気泡がずれる方向とずれ量とによって平面の傾きの方向と傾き量とを検出するようにしてよい。また水準器を取付けた基板にマグネットが固着されてよい。また水準器を取付けた基板に下方に突出してピンが植設されてよい。
【００１４】
本願のさらに別の考案は、ボールを拾上げるときに、該ボールの位置をマークするためのゴルフ用ボールマーカにおいて、
平面上の一方向の傾きを検知する水準器を設けたことを特徴とするゴルフ用ボールマーカに関するものである。
【考案の効果】
【００１５】
本願の主要な考案は、ボールを拾上げるときに、該ボールの位置をマークするためのゴルフ用ボールマーカにおいて、平面上の直交する２方向の傾きを検知する水準器を設けたものである。
【００１６】
従ってこのようなゴルフ用ボールマーカによると、平面上の直交する２方向の傾きをそれぞれ水準器によって検出することが可能になり、このゴルフ用ボールマーカを置いた位置の地面の傾きが容易かつ確実に検出されることになる。
【００１７】
本願の別の主要な考案は、ボールを拾上げるときに、該ボールの位置をマークするためのゴルフ用ボールマーカにおいて、平面の傾きを検出する水準器を設けたものである。
【００１８】
従ってこのようなゴルフ用ボールマーカによると、平面の傾きを検出する水準器によって、このゴルフ用ボールマーカを置いた位置の地面の傾きの方向と傾きの度合いとを一緒に検出することが可能になる。
【考案を実施するための最良の形態】
【００１９】
以下本願考案を図示の実施の形態によって説明する。まず第１の実施の形態を図１〜図３によって説明する。この実施の形態は、図１〜３に示すように、円盤状をなす筐体１０を備えている。筐体１０は例えばプラスチックの成形体から構成される。そしてこの筐体１０には、上面に開放するように一対の凹部１１、１２が形成される。これらの凹部１１、１２はその軸線が互いに直交する方向に延びるようになっており、所定の長さを有している。そしてこのように上部が開放された凹部１１、１２内にはそれぞれ水準器１５、１６が配される。従って水準器１５、１６は、それらの軸線が互いに直交することになる。またこれらの水準器１５、１６の軸線は、筐体１０の底面１９とほぼ平行な平面上に位置することになる。
【００２０】
水準器１５、１６は従来公知の水準器と同様であって、両端が封止されたガラス管から構成され、その上面には所定の間隔を隔てて一対のマーク１７が形成される。そしてマーク１７間に位置するように気泡１８が封入される。すなわちガラス管内の水等の液体中に、所定のガスを入れておくことによって気泡１８が発生するようにしている。従って水準器１５、１６が水平な場合には、一対のマーク１７間に気泡１８が位置することになる。これに対して水準器１５、１６が傾斜した場合には、気泡１８がマーク１７に対して軸線方向にずれるようになる。
【００２１】
筐体１０の上部にはカバー２１が取付けられる。カバー２１はほぼリング状をなし、上面に円形の窓２２を備えている。そして円形の窓２２の部分には透明板２３が取付けられるようになっており、この透明板２３を通して水準器１５、１６のマーク１７および気泡１８が上方から目視によって確認できるようにしている。
【００２２】
従ってこのようなゴルフ用ボールマーカによると、ボールを拾上げるときにその位置にこのマーカを置くだけで、一対の水準器１５、１６によってその位置の地面の傾斜を認識することができる。例えばグリーン上にこのマーカを置いた場合には、そのグリーンのマーカを置いた位置の傾きが容易に確認される。マーカは、その底面１９がグリーン上に接するように置かれるために、一対の水準器１５、１６によってグリーンの傾斜角が認識できる。
【００２３】
なお一般にグリーンには芝生が生えており、このマーカの底面１９と地面との間に芝生が介在する。しかるに芝生は通常地面とほぼ平行になるように一定の長さにカッティングされているために、底面１９がたとえ芝生の上面に接しても、地面の傾きをほぼ確実に水準器１５、１６によって検出することが可能である。
【００２４】
図４は上記実施の形態の変形例のゴルフ用ボールマーカを示している。このボールマーカは、その下面に取付け板２６およびピン２７が取付けられるようになっている。すなわち画鋲状をなす取付け板２６とピン２７とを筐体１０の底部に固着している。従ってこのようなマーカは、上記ピン２７の部分を地面に差込んでボールの位置をマークするようにしている。
【００２５】
ここでもピン２７が下方に突出している底面１９は、地面に接するように置かれるために、このような実施の形態によっても、一対の水準器１５、１６によってその位置の傾斜を確実に検出できるようになる。
【００２６】
次にさらに別の変形例を図５および図６によって説明する。この変形例は、底面１９に凹部３０が形成されるとともに、この凹部３０にはマグネット３１が装着される。このようなマグネット３１は、このマーカを使用しない場合に、図６に示すようなホルダ３３に吸着されるようにしている。すなわちホルダ３３が磁性材料から構成され、このためにマグネット３１によってこのマーカをホルダ３３に磁気吸着できるようにしている。なおホルダ３３はその下面にクリップ３４を備え、このクリップ３４によってホルダ３３を帽子のつばの部分、ゴルフバッグの所定の位置、あるいはベルト等に取付けるようにしている。従ってこのように所定の位置にクリップ３４で取付けられたホルダ３３に対して、ゴルフ用ボールマーカをマグネット３１によって固定することが可能になる。
【００２７】
次に別の実施の形態を図７〜図９によって説明する。本実施の形態のゴルフ用ボールマーカは、偏平な円盤状をなす基板４０と、この基板４０上に取付けられる円形の水準器４２とから構成される。すなわち水準器４２は内部が空洞になっている逆皿形の偏平な密封容器であって、しかもその上面が断面で見ると図９に示すように円弧状に構成されており、中央部が一番高くなっている。そしてこの一番高い位置に対応して、上面の外周面上には同心円状に一対の円形のマーク４３が形成されている。そして水準器４２の内部には水等の液体が封入され、しかも気泡４４が残るようになっている。
【００２８】
従ってこのようなゴルフ用ボールマーカによると、ボールを拾上げたときに置くと、このゴルフ用ボールマーカの基板４０上の水準器４２が、地面の傾斜に応じて傾きを表示する。すなわち水準器４２の上面の透明な円弧状面に沿って気泡４４がマーク４３に対してずれることになる。従ってこのずれの方向によって傾きの方向が検出される。また内側のマーク４３の中心に対してどの程度気泡４４がずれているかによって、このゴルフ用ボールマーカを置いた位置の傾斜の度合いを検出することが可能になる。従ってこのような構成によっても、上記の実施の形態と同様の作用効果を奏することになる。
【００２９】
図１０は上記のゴルフ用ボールマーカの変形例を示しており、ここでは基板４０のほぼ中央部に円形のマグネット４７を固着している。このようなマグネット４７によって、上記第１の実施の形態で説明したホルダ３３に磁気吸着して保持させることが可能になる。
【００３０】
図１１は別の変形例を示している。この変形例は、基板４０の下面に下方に突出するようにピン４８を形成したものである。このようなピン４８を地面に差込むようにしておくことにより、ボールマーカが移動することが防止される。しかも基板４０の下面が地面に接するために、これによって傾斜の検出を行なうこととが可能になる。
【００３１】
次にさらに別の実施の形態を図１２および図１３によって説明する。この実施の形態は、筐体１０の上面に半径方向に延びる凹部１１を形成したものである。そしてこの凹部１１内に水準器１５を挿入し、カバー２１を上から被せるようにしている。なおカバー２１の円形の窓２２には透明板２３が取付けられる。
【００３２】
このような構成のゴルフ用ボールマーカによると、上記水準器１５の軸線方向の傾きを知ることが可能になる。すなわち平面上の一方向の傾きのみを知ることができる。従ってこのような一方向の水準器１５を備えたボールマーカを、互いに直交する二方向の傾きを検出するように、まず最初の回転位置において一方向の傾きの検出を行なう。そしてこの後にゴルフ用ボールマーカを筐体１０の中心を中心として９０度回転させ、直交する別の方向の傾きを水準器１５によって検出すればよい。これによって平面上の二方向の傾きを検出できるようになる。
【００３３】
図１３は上記実施の形態の変形例を示している。ここでは、上記水準器１５の長さ方向に細長くなるような長円形の筐体１０を用いるようにし、このような筐体１０の長さ方向に沿って形成される凹部１１に水準器１５を取付けるようにしている。従ってこのような構成によると、全体の形状が長円形であって、幅方向の寸法を小さくしたゴルフ用ボールマーカが得られる。
【００３４】
以上本願考案を図示の実施の形態によって説明したが、本願考案は上記実施の形態によって限定されることなく、本願に含まれる考案の技術的思想の範囲内において各種の変更が可能である。例えば上記実施の形態における筐体１０の形状や寸法等については、各種の変更が可能である。
【産業上の利用可能性】
【００３５】
本願考案は、ゴルフ用ボールマーカとして利用することが可能である。
【図面の簡単な説明】
【００３６】
【図１】第１の実施の形態のゴルフ用ボールマーカの分解斜視図である。
【図２】同ゴルフ用ボールマーカの平面図である。
【図３】同ゴルフ用ボールマーカの縦断面図である。
【図４】変形例のゴルフ用ボールマーカの縦断面図である。
【図５】別の変形例のゴルフ用ボールマーカの縦断面図である。
【図６】同ゴルフ用ボールマーカをホルダに取付ける構造を示す要部分解斜視図である。
【図７】別の実施の形態のゴルフ用ボールマーカの分解斜視図である。
【図８】同ゴルフ用ボールマーカの平面図である。
【図９】同ゴルフ用ボールマーカの縦断面図である。
【図１０】変形例に係るゴルフ用ボールマーカの縦断面図である。
【図１１】別の変形例のゴルフ用ボールマーカの縦断面図である。
【図１２】さらに別の実施の形態のゴルフ用ボールマーカの分解斜視図である。
【図１３】変形例に係るゴルフ用ボールマーカの平面図である。
【符号の説明】
【００３７】
１０  筐体
１１、１２  凹部
１５、１６  水準器
１７  マーク
１８  気泡
１９  底面
２１  カバー
２２  円形の窓
２３  透明板
２６  取付け板
２７  ピン
３０  凹部
３１  マグネット
３３  ホルダ
３４  クリップ
４０  基板
４２  水準器
４３  マーク
４４  気泡
４７  マグネット
４８  ピン
【図１】
0003124013.tif 000003
【図２】
0003124013.tif 000004
【図３】
0003124013.tif 000005
【図４】
0003124013.tif 000006
【図５】
0003124013.tif 000007
【図６】
0003124013.tif 000008
【図７】
0003124013.tif 000009
【図８】
0003124013.tif 000010
【図９】
0003124013.tif 000011
【図１０】
0003124013.tif 000012
【図１１】
0003124013.tif 000013
【図１２】
0003124013.tif 000014
【図１３】
0003124013.tif 000015